(57)【要約】【課題】フラットケーブルを挿入容易なコネクターを提供すること。【解決手段】コネクター２５において、ハウジング２５１には、フラットケーブルが挿入される挿入口Ｈ１と、予め定められている前記フラットケーブルの挿入方向とと交差する方向における貫通孔であり前記挿入方向に長尺状のガイド孔Ｈ２とが形成されている。スイッチ部２５２は、ガイド孔Ｈ２に沿って、フラットケーブルの挿抜方向に移動可能である。セット面Ｆ７には、フラットケーブルの接続部４がセットされ、セット面Ｆ７は、スイッチ部２５２の前記挿抜方向への移動に応じて、挿入口Ｈ１からハウジング２５１外に突出し、ハウジング２５１の内部空間Ｓに収納される。接触端子２５７は、内部空間Ｓにおいて接続部４に設けられている平型導体４１を前記挿入方向と交差する方向に圧接する圧接部２５７６を有する。【選択図】図５
2019057369.tif 000002
【特許請求の範囲】
【請求項１】
フラットケーブルが挿入される挿入口と、予め定められている前記フラットケーブルの挿入方向と交差する方向における貫通孔であり前記挿入方向に長尺状のガイド孔とが形成されているハウジングと、
前記ガイド孔に沿って前記挿入方向及び前記挿入方向の逆方向である抜き方向に移動可能なスイッチ部と、
前記スイッチ部の前記抜き方向への移動に応じて前記抜き方向へ移動して前記挿入口から前記ハウジング外に突出し、前記スイッチ部の前記挿入方向への移動に応じて前記挿入方向へ移動し前記ハウジングの内部空間に収納されるセット面を有し、前記フラットケーブルの接続部がセットされるセット部と、
前記内部空間において前記接続部に設けられている導体を前記挿入方向と交差する方向に圧接する圧接部を有する接触端子と、
前記接触端子と電気的に接続されており、前記ハウジングの外表面に対して突出する実装用端子と、
を備えるコネクター。
【請求項２】
前記セット面から突出している第１突出部、第２突出部及び第３突出部を含み、前記挿入方向に直交し且つ予め定められている前記フラットケーブルの幅方向において前記接続部の幅に整合する距離だけ第１突出部及び前記第２突出部が互いに離間し、前記第３突出部が前記第１突出部及び前記第２突出部に対して前記挿入方向側に設けられている位置決め部、
を備え、
前記第３突出部は、前記セット面に対して前記接続部の厚さ以上の高さを有している、
請求項１に記載のコネクター。
【請求項３】
前記圧接部は、前記セット面が前記ハウジング外に突出している時、前記セット面を基準として前記接続部の厚さを超える距離だけ、前記第３突出部が突出する方向であって前記挿入方向及び前記幅方向と直交する方向である突出方向に離間する、
請求項１又は２に記載のコネクター。
【請求項４】
前記第３突出部に対し前記挿入方向側に且つ前記セット面に対し前記突出方向側に予め定められている距離だけ離れている第１押圧面を有しており、前記スイッチ部に固定されている第１押圧部、
を備え、
前記接触端子は、
前記第１押圧部よりも前記突出方向側に設けられている第１支持部と、
前記第１支持部と連結されており、前記抜き方向からの平面視で前記第１押圧面とオーバーラップすると共に前記突出方向からの平面視で前記第３突出部及び前記第１押圧面の間に介在している第１被押圧部と、
前記第１被押圧部から前記突出方向に傾斜しつつ前記抜き方向に延在し、前記圧接部が設けられている第１抜き方向側連結部と、
を含み、
前記スイッチ部の前記抜き方向への移動に応じて前記第１被押圧部が前記第１押圧面により押圧されることにより、前記圧接部が前記セット面から前記突出方向に離間する、
請求項３に記載のコネクター。
【請求項５】
前記圧接部は、前記セット面が前記ハウジング外に突出している時、前記挿入口から前記ハウジング外に突出する、
請求項３又は４に記載のコネクター。
【請求項６】
前記第３突出部に対し前記挿入方向側に且つ前記セット面に対し前記突出方向側に予め定められている距離だけ離れている第２押圧面を有しており、前記スイッチ部に固定されている第２押圧部、
を備え、
前記接触端子は、
前記第２押圧部よりも前記突出方向側で前記ハウジングに対して固定される固定部と、
前記第２押圧部よりも前記突出方向側に設けられ、前記ハウジングに対して固定されていない第２支持部と、
前記第２支持部と連結されており、前記抜き方向からの平面視で前記第２押圧面とオーバーラップすると共に前記突出方向からの平面視で前記第３突出部及び前記第２押圧面の間に介在している第２被押圧部と、
前記固定部と前記第２支持部とを連結し、弾性変形可能な挿入方向側連結部と、
前記第２被押圧部から前記突出方向に傾斜しつつ前記抜き方向に延在し、前記圧接部が設けられている第２抜き方向側連結部と、
を含み、
前記第２被押圧部が前記第２押圧面に押圧されていない時、前記挿入方向側連結部は前記固定部と前記第２支持部との間において撓み且つ前記第２支持部は前記固定部を基準として予め定められている距離だけ前記抜き方向に離間し、
前記第２被押圧部が前記第２押圧面により押圧されることにより、前記挿入方向側連結部が伸びると共に前記第２支持部が前記抜き方向に移動して、前記圧接部が前記挿入口から前記ハウジング外に突出する、
請求項５に記載のコネクター。
【請求項７】
前記ハウジングは、前記ガイド孔における前記挿入方向側の端部である挿入方向側ガイド端部を基準として前記挿入方向において予め定められている離間距離だけ離れている挿入方向側内表面、を有し、
前記第２押圧部は、前記挿入方向側ガイド端部を基準として前記挿入方向において前記離間距離だけ離れている挿入方向側端部を有し、
前記スイッチ部が前記挿入方向側ガイド端部にて前記ハウジングに突き当たり且つ前記挿入方向側端部が前記挿入方向側内表面に突き当たっている状態で、前記圧接部は前記導体に圧接する、
請求項６に記載のコネクター。
【請求項８】
請求項１〜７のいずれかに記載のコネクター、
備える画像読取装置。
【請求項９】
請求項１〜７のいずれかに記載のコネクター、
を備える画像形成装置。
【発明の詳細な説明】
【技術分野】
【０００１】
本発明は、フラットケーブル用のコネクター、画像読取装置及び画像形成装置に関する。
【背景技術】
【０００２】
フラットケーブルは、基板に実装されるコネクターを介して制御回路にデータ伝送可能に接続される。前記コネクターには、前記フラットケーブルの一方の接続部が挿抜可能に接続される。
【０００３】
前記フラットケーブルの他方の接続部は、センサーユニット等に接続される。前記センサーユニットは、コンタクト部上の原稿を光学的に読み取って画像データを生成する。前記画像データは、前記フラットケーブル及び前記コネクターを介して制御回路に送信される。
【０００４】
前記コネクターのハウジング内には接触端子が設けられる。前記接触端子は、前記フラットケーブルの挿入時に、前記フラットケーブルの接続部において露出する平型導体に当接する。
【０００５】
前記ハウジング内には、前記接触端子と対向する位置に保持部材が設けられている。前記保持部材は、前記一方の接続部が前記ハウジングにおける挿入口近傍にあるとき、前記接触端子から離間している。前記一方の接続部は、前記保持部材と前記接触端子との間に挿入される。前記接続部が前記挿入口から前記ハウジングの奥へと挿し込まれると、前記保持部材は、前記フラットケーブルを押圧し、前記平型導体を前記端子に圧接させる（例えば、特許文献１を参照）。
【先行技術文献】
【特許文献】
【０００６】
【特許文献１】特開２００１−３３２３６１号公報
【発明の概要】
【発明が解決しようとする課題】
【０００７】
しかしながら、前記コネクターの実装場所によっては、作業者は、前記挿入口の位置を視認することが難しい場合がある。この場合、作業者は、前記フラットケーブルを前記コネクターに挿入することが難しくなり、作業中に、前記フラットケーブルを傷つけてしまう場合がある。
【０００８】
本発明の目的は、前記フラットケーブルを挿入容易なコネクター、画像読取装置及び画像形成装置を提供することにある。
【課題を解決するための手段】
【０００９】
本発明の一の局面に係るコネクターは、ハウジングと、スイッチ部と、セット部と、接触端子と、実装用端子と、を備える。前記ハウジングには、フラットケーブルが挿入される挿入口と、予め定められている前記フラットケーブルの挿入方向と交差する方向における貫通孔であり前記挿入方向に長尺状のガイド孔とが形成されている。前記スイッチ部は、前記ガイド孔に沿って前記挿入方向及び前記挿入方向の逆方向である抜き方向に移動可能である。前記セット部は、前記スイッチ部の前記抜き方向への移動に応じて前記抜き方向へ移動して前記挿入口から前記ハウジング外に突出し、前記スイッチ部の前記挿入方向への移動に応じて前記挿入方向へ移動し前記ハウジングの内部空間に収納されるセット面を有し、前記フラットケーブルの接続部がセットされる。前記接触端子は、前記内部空間において前記接続部に設けられている導体を前記挿入方向と交差する方向に圧接する圧接部を有する。前記実装用端子は、前記接触端子と電気的に接続されており、前記外表面に対して突出する。
【００１０】
本発明の他の局面に係る画像読取装置及び画像形成装置は前記コネクターを備える。
【発明の効果】
【００１１】
本発明によれば、前記フラットケーブルを挿入容易なコネクター、画像読取装置及び画像形成装置を提供することができる。
【図面の簡単な説明】
【００１２】
【図１】図１は、本発明の一実施形態に係る画像形成装置の構成を示す図である。
【図２】図２は、図１に示すコネクターの上面図である。
【図３】図３は、図１に示すコネクターの底面図である。
【図４】図３は、図１に示すコネクターの右側面図である。
【図５】図５は、図２に示す鎖線Ｉ−Ｉに沿うコネクターの縦断面図である。
【図６】図６は、図５に示すセット部、押圧部及び接触端子を下方から見た時の平面図である。
【図７】図７は、フラットケーブルの接続部がセット部にセットされた状態を示すコネクターの縦断面図である。
【図８】図８は、フラットケーブルの接続部がセット部にセットされた状態でセット部、押圧部及び接触端子を下方から見た時の図である。
【図９】図９は、図５に示す挿通部が挿入方向側ガイド端部と抜き方向側ガイド端部の間にある状態におけるコネクターの縦断面図である。
【図１０】図８は、図５に示す挿通部が挿入方向側ガイド端部と抜き方向側ガイド端部の間にある状態でセット部、押圧部及び接触端子を下方から見た時の図である。
【図１１】図９は、図５に示す挿通部が挿入方向側ガイド端部に到達した状態におけるコネクターの縦断面図である。
【図１２】図８は、図５に示す挿通部が挿入方向側ガイド端部に到達した状態におけるセット部、押圧部及び接触端子を下方から見た時の図である。
【発明を実施するための形態】
【００１３】
以下、添付図面を参照しながら、本発明の各実施形態について説明し、本発明の理解に供する。なお、以下の実施形態は、本発明を具体化した一例であって、本発明の技術的範囲を限定するものではない。
【００１４】
［実施形態］
図１において、画像形成装置１は、例えば、複写機、プリンタ、ファクシミリ又は複合機である。前記複合機は、コピー機能、印刷機能及びファクス機能等を有する。
【００１５】
画像形成装置１は、画像読取装置２と、本体装置３とを備える。
【００１６】
画像読取装置２は、本体装置３の上部に設けられている。なお、画像読取装置２は、画像形成装置１とは独立しているスキャナー等であってもよい。また、画像読取装置２を備える画像形成装置１全体を本発明に係る画像読取装置の一例として捉えてもよい。
【００１７】
また、画像読取装置２は、制御回路基板２１と、センサーユニット２２と、コンタクト部２３と、を備える。
【００１８】
制御回路基板２１には、制御回路２４及びコネクター２５が実装されている。また、制御回路基板２１には、制御回路２４と、前記コネクターとを電気的に接続するための各種パターン配線（図示せず）が形成されている。
【００１９】
制御回路２４は、ＣＰＵ、ＲＯＭ、ＲＡＭ及び不揮発性メモリー等を含む集積回路等である。前記ＣＰＵは、ＲＯＭに予め格納されているプログラムを、ＲＡＭを作業領域として使いながら実行する。不揮発性メモリーには、前記ＣＰＵにより各種データが記録される。これにより、前記ＣＰＵは画像形成装置１を統括的に制御し、画像読取処理又は画像形成処理等の各種の処理を実行する。
【００２０】
なお、制御回路基板２１は、本体装置３に設けられていてもよい。また、制御回路２４は、ＡＳＩＣ（Application Specific Integrated Circuit）又はＤＳＰ(Digital Signal Processor)などの電子回路であってもよい。
【００２１】
コネクター２５には、フラットケーブルの一方の接続部４が挿抜可能に接続される。
【００２２】
センサーユニット２２は、等倍光学系のＣＩＳ(Contact Image Sensor)、又は縮小光学系のセンサーユニットである。センサーユニット２２には、フラットケーブルの他方の接続部４が接続されている。
【００２３】
センサーユニット２２は、コンタクト部２３上の原稿に表現されている画像を光学的に読み取って画像データを生成する。前記画像データは、フラットケーブル及びコネクター２５を介して制御回路２４に伝送される。
【００２４】
本体装置３は、画像形成部３１等を備える。画像形成部３１は、感光体ドラム３１１、帯電器３１２、現像器３１３、転写器３１４、定着ローラー３１５及び加圧ローラー３１６等を備え、電子写真方式又はインクジェット方式により、制御回路２４が受信する前記画像データが表す画像をシート上に形成する。
【００２５】
制御回路基板２１には、制御回路２４及びコネクター２５以外にも、様々な部品（図示せず）が高密度に実装される。それ故、コネクター２５の実装場所によっては、作業者は、フラットケーブルを挿入口の位置を視認することが難しい場合がある。この場合、作業者は、フラットケーブルをコネクター２５に挿入することが難しくなり、作業中に、フラットケーブルを傷つけてしまう場合がある。
【００２６】
これに対し、本実施形態に係る画像読取装置２は、フラットケーブルを挿入容易なコネクター２５を備える。
【００２７】
以下、図２〜図１２を参照して、コネクター２５について詳説する。
【００２８】
図２〜図１２において、Ｘ軸、Ｙ軸及びＺ軸は、互いに直交し、コネクター２５の前後方向、左右方向及び上下方向をそれぞれ示す。また、Ｘ軸、Ｙ軸及びＺ軸は、コネクター２５において予め定められているフラットケーブルの挿抜方向Ｘ、幅方向Ｙ及び厚さ方向Ｚをそれぞれ示す。また、Ｘ１方向及びＸ２方向は互いに逆の方向を向いており、挿抜方向Ｘのうちフラットケーブルの挿入方向及び抜き方向を示す。
【００２９】
コネクター２５は、ハウジング２５１と、スイッチ部２５２と、セット部２５３と、位置決め部２５４と、押圧部２５５と、実装用端子２５６と、接触端子２５７と、を備える。
【００３０】
ハウジング２５１は、電気絶縁性を有する樹脂材料で作製されており、第１壁Ｗ１、第２壁Ｗ２、第３壁Ｗ３、第４壁Ｗ４、第５壁Ｗ５及び第６壁Ｗ６を備える。
【００３１】
第１壁Ｗ１乃至第６壁Ｗ６は、ハウジング２５１の内部空間Ｓを包囲する。内部空間Ｓには、セット部２５３と、位置決め部２５４と、押圧部２５５と、実装用端子２５６と、接触端子２５７と、が収容される。
【００３２】
第１壁Ｗ１は、コネクター２５のフロントパネルである。第１壁Ｗ１には、幅方向Ｙ（即ち、前記左右方向）において延在する挿入口Ｈ１が形成されている。挿入口Ｈ１は、第１壁Ｗ１を挿抜方向Ｘに貫通し、内部空間Ｓと連通している。挿入口Ｈ１には、フラットケーブルの接続部４が挿入される。
【００３３】
第２壁Ｗ２は、コネクター２５のアッパーパネルであり、上側外表面Ｆ２１と、上側内表面Ｆ２２とを含む。
【００３４】
上側外表面Ｆ２１及び上側内表面Ｆ２２は平坦面であり、上側外表面Ｆ２１は、上側内表面Ｆ２２に対して上方において平行に対向している。
【００３５】
第２壁Ｗ２にはガイド孔Ｈ２が形成されている。ガイド孔Ｈ２は、第２壁Ｗ２を前記上下方向に貫通している。ガイド孔Ｈ２は、挿抜方向Ｘと交差する方向の貫通孔であって、前記挿抜方向に長尺状である。具体的に、ガイド孔Ｈ２は、挿抜方向Ｘと平行に延在しており、上面視でスリット状の矩形形状を有している。
【００３６】
以下、ガイド孔Ｈ２のＸ１方向側の端部を挿入方向側ガイド端部Ｅ１といい、Ｘ２方向側の端部を抜き方向側ガイド端部Ｅ２という。
【００３７】
第３壁Ｗ３は、コネクター２５のロアーパネルであり、第２壁Ｗ２と前記上下方向において対向している。第３壁Ｗ３は、下側外表面Ｆ３１と、下側内表面Ｆ３２とを含む。
【００３８】
下側外表面Ｆ３１及び下側内表面Ｆ３２は平坦面であり、下側外表面Ｆ３１は、下側内表面Ｆ３２に対して下方において平行に対向している。
【００３９】
下側外表面Ｆ３１は、コネクター２５の実装時には実装面として制御回路基板２１に当接する。
【００４０】
第４壁Ｗ４は、コネクター２５のリアーパネルであり、第１壁Ｗ１と前記前後方向において対向している。第４壁Ｗ４は、挿入方向側外表面Ｆ４１と、挿入方向側内表面Ｆ４２とを含む。
【００４１】
挿入方向側外表面Ｆ４１は、挿入方向側内表面Ｆ４２に対して後方において対向している。
【００４２】
挿入方向側内表面Ｆ４２は、挿入方向側ガイド端部Ｅ１を基準として、Ｘ１方向において予め定められている離間距離Ｄ１だけ離れている。
【００４３】
第５壁Ｗ５及び第６壁Ｗ６は、前記左右方向において互いに対向する。なお、ガイド孔Ｈ２は、第２壁Ｗ２の代わりに、第５壁Ｗ５又は第６壁Ｗ６に形成されていてもよい。
【００４４】
スイッチ部２５２は、挿通部２５２１と、操作部２５２２と、挟持部２５２３と、を含む。
【００４５】
挿通部２５２１は、図５等に示すように、ガイド孔Ｈ２に挿通される。前記上下方向におけるサイズ（以下、上下方向サイズという）に関し、挿通部２５２１は第２壁Ｗ２と整合している。前記左右方向におけるサイズ（以下、左右方向サイズという）に関し、挿通部２５２１はガイド孔Ｈ２と整合している。また、前記前後方向におけるサイズ（以下、前後方向サイズという）に関し、挿通部２５２１はガイド孔Ｈ２よりも小さい。
【００４６】
操作部２５２２は、挿通部２５２１の上部に固定されており、ハウジング２５１の上側外表面Ｆ２１に対してハウジング２５１の外方向に突出している。
【００４７】
挟持部２５２３は、挿通部２５２１の下部に固定されており、ハウジング２５１の上側内表面Ｆ２２に対して、内部空間Ｓに向かって突出している。
【００４８】
操作部２５２２及び挟持部２５２３の前記左右方向サイズは、前記上面視で、ガイド孔Ｈ２の前記左右方向サイズよりも大きい。これにより、挟持部２５２３は、操作部２５２２と共に第１壁Ｗ１においてガイド孔Ｈ２の周縁を挟み込む。
【００４９】
前記作業者は、操作部２５２２を操作することにより操作部２５２２にＸ１方向及びＸ２方向の力を加える。これに応じて、挿通部２５２１は、挿入方向側ガイド端部Ｅ１及び抜き方向側ガイド端部Ｅ２の間の範囲内を、ガイド孔Ｈ２に沿ってＸ１方向及びＸ２方向に移動可能となる。これにより、スイッチ部２５２は、ガイド孔Ｈ２に沿って、挿抜方向Ｘに移動可能になっている。
【００５０】
セット部２５３は、挟持部２５２３に対して後述の押圧部２５５を介して固定されている。
【００５１】
セット部２５３は、幅方向Ｙにおいて延在する。前記左右方向サイズ及び前記上下方向サイズに関し、セット部２５３は、挿入口Ｈ１よりも小さい。セット部２５３は、挟持部２５２３のＸ２方向側の端部から、予め定められている距離だけＸ２方向に延在する。セット部２５３の前記前後方向サイズは、下記の２条件を満たすサイズに予め定めれている。
【００５２】
第１条件は、挿通部２５２１が挿入方向側ガイド端部Ｅ１に位置し且つスイッチ部２５２がハウジング２５１に突き当たっている時に、セット部２５３が挿入口Ｈ１から突出しないことである。
【００５３】
第２条件は、挿通部２５２１が抜き方向側ガイド端部Ｅ２に到達するまでの間に、セット部２５３が挿入口Ｈ１から突出することである。
【００５４】
セット部２５３における下方側の端面は、フラットケーブルの接続部４がセットされるセット面Ｆ７を含む。具体的には、フラットケーブルが多芯型の場合、図６等に示すように、接続部４において、複数の平型導体４１は、フラットケーブルの幅方向に平行に並置されている。また、接続部４において、フラットケーブルの厚さ方向における一方側には被覆４２は設けられておらず、複数の平型導体４１は外部に露出している。
【００５５】
接続部４は、図７等に示すように、被覆４２側がセット面Ｆ７と当接するように前記作業者によりセット面Ｆ７にセットされる。
【００５６】
セット面Ｆ７は、挿抜方向Ｘ及び幅方向Ｙに平行な平坦面である。しかし、これに限らず、セット面Ｆ７は、接続部４が前記前後方向、前記左右方向及び前記上下方向に対し傾かなければ平坦面でなくともよい。このようなセット面Ｆ７としては一様な凹凸面がある。
【００５７】
位置決め部２５４は、図５，図６等に示すように、セット面Ｆ７から突出している第１突出部２５４１、第２突出部２５４２及び第３突出部２５４３を有する。
【００５８】
第１突出部２５４１及び第２突出部２５４２は、セット面Ｆ７において、幅方向Ｙにおいて接続部４の幅に整合する距離だけ互いに離間している。
【００５９】
第３突出部２５４３は、セット面Ｆ７において、第１突出部２５４１及び第２突出部２５４２に対してＸ１方向側に予め定められている位置に設けられている。
【００６０】
第３突出部２５４３は、第１突出部２５４１及び第２突出部２５４２と繋がっていてもよいし、離間していてもよい。
【００６１】
また、第３突出部２５４３は、図７等に示すように、セット面Ｆ７に対して接続部４の厚さ以上の高さを有している。これにより、後述の接触端子２５７における抜き方向側連結部２５７５が接続部４に当接することを抑制することができる。
【００６２】
スイッチ部２５２のＸ２方向への移動に応じて、セット面Ｆ７はＸ２方向に移動して挿入口Ｈ１からハウジング２５１の外部に突出する。
【００６３】
具体的には、前記作業者は、操作部２５２２を操作して、挿通部２５２１を抜き方向側ガイド端部Ｅ２に到達させて、操作部２５２２がハウジング２５１に突き当てる。この過程で、図７及び図８に示すように、セット部２５３及びセット面Ｆ７が挿入口Ｈ１からハウジング２５１の外部に突出する。
【００６４】
前記作業者は、接続部４を、セット面Ｆ７において第１突出部２５４１乃至第３突出部で囲まれるエリアにセットする。
【００６５】
前記作業者は、接続部４のセット後、接続部４を押さえつつ、図９及び図１０に示すように、スイッチ部２５２をＸ１方向に移動させる。これに応じて、セット面Ｆ７は、Ｘ１方向に移動して挿入口Ｈ１から内部空間Ｓに収納される。
【００６６】
図１１及び図１２に示すように、スイッチ部２５２が挿入方向側ガイド端部Ｅ１に到達する過程で又は到達した時に、接触端子２５７の圧接部２５７６（後述）は、平型導体４１を圧接する。
【００６７】
したがって、挿入口Ｈ１が視認しづらい場所にコネクター２５が実装されていても、セット面Ｆ７がハウジング２５１の外部に露出するため、前記作業者は、接続部４をコネクター２５に挿入する際に挿入口Ｈ１の位置を視認できなくともよい。
【００６８】
また、セット面Ｆ４の移動方向は、挿通部２５２１及びガイド孔Ｈ２により規制される。換言すると、セット面Ｆ４の移動方向は、挿抜方向Ｘからずれにくい。したがって、接続部４の挿入中、前記作業者は、接続部４をセット面Ｆ７に軽く押し付けて、スイッチ部２５２をＸ１方向に操作するだけでよい。これによって、所謂斜め刺し等により、接続部４に過度なストレスがかかり難くなる。
【００６９】
ここで、以下において、第１突出部２５４１乃至第３突出部が突出する方向であって、挿抜方向Ｘ及び幅方向Ｙと直交する方向を突出方向Ｑという。
【００７０】
押圧部２５５は、第１押圧部及び第２押圧部であって、図５等に示すように、スイッチ部２５２の挟持部２５２３に固定されている。押圧部２５５は、内部空間Ｓにおいて、挟持部２５２３から突出方向Ｑに延在している。押圧部２５５において突出方向Ｑ側の端部は、下側内表面Ｆ３２から予め定められている距離だけ離間している。また、押圧部２５５は、自身のＸ２方向側の端部に押圧面Ｆ８を有する。
【００７１】
押圧面Ｆ８は、第１押圧面及び第２押圧面であって、前記左右方向及び前記上下方向に平行な平坦面である。これに限らず、押圧面Ｆ８は曲面であってもよい。押圧面Ｆ８は、第３突出部２５４３に対しＸ１方向側に予め定められている距離だけ離れている。また、押圧面Ｆ８は、セット面Ｆ７に対し、突出方向Ｑ側に予め定められている距離だけ離れている。具体的には、押圧面Ｆ８は、第３突出部２５４３よりも突出方向Ｑ側に設けられている。
【００７２】
また、押圧部２５５は、Ｘ１方向における端部である挿入方向側端部Ｅ３を有する。挿入方向側端部Ｅ３は、挿入方向側ガイド端部Ｅ１を基準としてＸ１方向において離間距離Ｄ１だけ離れている。
【００７３】
押圧部２５５は、スイッチ部２５２のＸ１方向への移動に応じて、Ｘ１方向に移動する。図１１及び図１２に示すように、スイッチ部２５２が挿入方向側ガイド端部Ｅ１に到達した時に、ハウジング２５１に突き当たる。それと同時に、挿入方向側端部Ｅ３は、第４壁Ｗ４の挿入方向側内表面Ｆ４２に突き当たる。この時、圧接部２５７６は平型導体４１を圧接し、接続部４は第３突出部２５４３に突き当たっている。
【００７４】
したがって、前記作業者が、スイッチ部２５２が挿入方向側ガイド端部Ｅ１に到達した後さらにＸ１方向への力を加えたとしても、挿入方向側内表面Ｆ４２からの反作用力により、セット面Ｆ７はＸ１方向に移動することができない。換言すると、圧接部２５７６が平型導体４１上で摺動し難くなるため、平型導体４１の摩耗を低減することができる。
【００７５】
実装用端子２５６は、導電性材料から作製されており、図３に示すように、平型導体４１の数に相当する数だけ設けられている。
【００７６】
実装用端子２５６は、図４，図５に示すように、内部空間Ｓにおいて挿入方向側内表面Ｆ４２に近接する位置にて第３壁Ｗ３を貫通し、ハウジング２５１の外表面、より具体的には下側外表面Ｆ３１に対してハウジング２５１の外方向に突出している。
【００７７】
実装用端子２５６は、後述の接触端子２５７と電気的に接続されており、制御回路基板２１に形成されているパターン導体（図示せず）に半田等により接合される。
【００７８】
接触端子２５７は、導電性材料から作製されており、図３に示すように、実装用端子２５６の数に相当する数だけ設けられている。接触端子２５７は、図５等に示すように、固定部２５７１と、支持部２５７２と、挿入方向側連結部２５７３と、被押圧部２５７４と、抜き方向側連結部２５７５と、圧接部２５７６と、抜き方向側端部２５７７と、を含む。
【００７９】
固定部２５７１及び支持部２５７２は、内部空間Ｓにおいて、押圧部２５５よりも突出方向Ｑ側に設けられている。
【００８０】
具体的には、固定部２５７１及び支持部２５７２は、押圧部２５５における突出方向Ｑ側の端部を基準として予め定められている距離だけ突出方向Ｑに離間しており、第３壁Ｗ３の下側内表面Ｆ３２上に設けられている。
【００８１】
また、固定部２５７１は、ハウジング２５１の第３壁Ｗ３に対して固定されていると共に実装用端子２５６と電気的に接続されている。
【００８２】
支持部２５７２は、第１支持部及び第２支持部であって、固定部２５７１を基準として予め定められている距離だけＸ２方向に離間している。なお、支持部２５７２は、第３壁Ｗ３に対して固定されていない。
【００８３】
後述の被押圧部２５７４が押圧面Ｆ８により押圧されていない時、支持部２５７２は、図１１に示すように、下側内表面Ｆ３２上において、固定部２５７１に対して予め定められている距離だけ離間し静止する。
【００８４】
支持部２５７２は、被押圧部２５７４が押圧部２５５により押圧されることで、図７、図９及び図１１に示すように、挿抜方向Ｘにおいて予め定められている範囲内を、挿抜方向Ｘに下側内表面Ｆ３２上を摺動する。
【００８５】
挿入方向側連結部２５７３は、固定部２５７１と支持部２５７２とを連結する。支持部２５７２が静止中、挿入方向側連結部２５７３は、図１１に示すように、突出方向Ｑと逆方向に大きく撓んでいる。一方、支持部２５７２が挿抜方向Ｘに摺動中、挿入方向側連結部２５７３は、図９及び図１１に示すように、弾性変形して挿抜方向Ｘにおいて伸縮する。
【００８６】
なお、挿入方向側連結部２５７３及び押圧部２５５は、押圧部２５５が挿抜方向Ｘへと移動中、押圧部２５５と接触しないように構成される。これにより、挿入方向側連結部２５７３及び押圧部２５５の摩耗を防止することができる。
【００８７】
被押圧部２５７４は、第１被押圧部及び第２被押圧部であって、一方端において支持部２５７２と連結されている。被押圧部２５７４は、Ｘ２方向からの平面視で押圧面Ｆ８とオーバーラップすると共に突出方向Ｑからの平面視で第３突出部２５４３及び押圧面Ｆ８の間に介在している。被押圧部２５７４は、押圧部２５５が挿抜方向Ｘに移動する過程で、図７及び図９に示すように、押圧面Ｆ８により押圧される。
【００８８】
具体的には、被押圧部２５７４は、押圧部２５５により押圧されていない時、図１１に示すように、内部空間Ｓ内で静止している。この時、被押圧部２５７４は、支持部２５７２の位置を基準として、Ｘ１方向側に傾斜しつつ突出方向Ｑと逆方向に延在する。被押圧部２５７４は、第３突出部２５４３と押圧面Ｆ８との間の位置であって、押圧面Ｆ８からＸ２方向に予め定められている距離だけ離間している位置まで延在する。
【００８９】
被押圧部２５７４は、図１１，図９，図７に示すように、挿通部２２２１が挿入方向側ガイド端部Ｅ１から抜き方向側ガイド端部Ｅ２まで移動する過程で、図９，図７に示すように、押圧面Ｆ８によりＸ２方向に押圧されて移動する。被押圧部２５７４のＸ２方向への移動により、挿入方向側連結部２５７３が伸びて支持部２５７２がＸ２方向に移動すると共に被押圧部２５７４は支持部２５７２を基準としてＸ２方向側に揺動し始める。
【００９０】
挿通部２２２１が抜き方向側ガイド端部Ｅ２に到達すると、図７に示すように、被押圧部２５７４は停止する。また、挿入方向側連結部２５７３がＸ２方向に伸び切った後、図５に示すように、被押圧部２５７４はさらに支持部２５７２を基準としてＸ２方向側に揺動する。
【００９１】
なお、挿通部２２２１が抜き方向側ガイド端部Ｅ２から挿入方向側ガイド端部Ｅ１まで移動する場合、挿入方向側連結部２５７３及び被押圧部２５７４は上記と反対に動作するため、その説明を省略する。
【００９２】
なお、挿入方向側連結部２５７３の伸縮及び被押圧部２５７４の揺動を実現するために、被押圧部２５７４において押圧面Ｆ８により押圧される箇所と、支持部２５７２との距離、及び、接触端子２５７の厚さ等が適切に予め定められている。
【００９３】
抜き方向側連結部２５７５は、第１抜き方向側連結部及び第２抜き方向側連結部である。抜き方向側連結部２５７５は、自身の一方端にて被押圧部２５７４の他方端と連結されている。
【００９４】
抜き方向側連結部２５７５は、図１１に示すように、被押圧部２５７４の静止中、内部空間Ｓ内で静止している。この時、抜き方向側連結部２５７５は、被押圧部２５７４の他方端を基準として、突出方向Ｑ側に傾斜しつつ、予め定められている距離だけＸ２方向に向かって延在する。
【００９５】
圧接部２５７６は、抜き方向側連結部２５７５の他方端であって、図１１に示すように、セット面Ｆ７が内部空間Ｓに収納されている状態で、内部空間Ｓにおいて、セット面Ｆ７上の平型導体４１に挿抜方向Ｘと交差する方向に圧接する。
【００９６】
抜き方向側端部２５７７は、接触端子２５７におけるＸ２方向側の先端部分であって、一方端において、圧接部２５７６と連結されており、圧接部２５７６を基準としてセット面Ｆ７から離間する方向に、予め定められている距離だけ延在する。
【００９７】
具体的には、図９及び図７に示すように、被押圧部２５７４が押圧部２５５に押圧されることによる挿入方向側連結部２５７３の伸び及び被押圧部２５７４のＸ２方向側への揺動に応じて、抜き方向側連結部２５７５、圧接部２５７６及び抜き方向側端部２５７７は、Ｘ２方向に移動すると共にセット面Ｆ７から突出方向Ｑに離間していく。
【００９８】
図７に示すように、挿通部２２２１が抜き方向側ガイド端部Ｅ２に到達した時、即ち、セット面Ｆ７が挿入口Ｈ１からハウジング２５１の外部に突出している時、抜き方向側連結部２５７５、圧接部２５７６及び抜き方向側端部２５７７は、セット面Ｆ７と共に挿入口Ｈ１から突出する。この時、抜き方向側連結部２５７５、圧接部２５７６及び抜き方向側端部２５７７は、セット面Ｆ７を基準として接続部４の厚さを超える距離だけ突出方向Ｑに離間する。これにより、前記作業者は、接続部４をセット面Ｆ７にセットし易くなる。
【００９９】
また、セット面Ｆ７が下方を向くことになるため、前記作業者は、接続部４をセット面Ｆ７にセットする際中に、過誤により、接続部４から手を離してしまう場合が想定される。しかし、前記作業者が接続部４から手を離したとしても、セット面Ｆ７の下方で挿入口Ｈ１から突出する抜き方向側連結部２５７５、圧接部２５７６及び抜き方向側端部２５７７に接続部４が引っ掛かることが期待できる。これにより、前記作業者の作業性が向上する。
【０１００】
なお、被押圧部２５７４が挿抜方向Ｘへと移動中、抜き方向側連結部２５７５及び第３突出部２５４３は互いに接触しないように構成される。これにより、抜き方向側連結部２５７５及び第３突出部２５４３の摩耗を防止することができる。
【０１０１】
また、抜き方向側連結部２５７５は、図７及び図９に示すように、セット面Ｆ７に接続部４がセットされている状態で、被押圧部２５７４がＸ１方向側に揺動すると、突出方向Ｑと逆方向側に揺動する。これによって、圧接部２５７６はセット面Ｆ７に接近した後、接続部４に圧接する。
【０１０２】
なお、接触端子２５７は、上記構成のものに限らず、圧接部２５７６が内部空間Ｓにおいて予め定められている位置に固定的に設けられ、この位置にて、内部空間Ｓに収納される平型導体４１に圧接しても構わない。
【符号の説明】
【０１０３】
１  画像形成装置
２  画像読取装置
フラットケーブルの接続部４
２１  制御回路基板
２２  センサーユニット
２５  コネクター
２５１  ハウジング
Ｆ４２  挿入方向側内表面
Ｓ  内部空間
Ｈ１  挿入口
Ｈ２  ガイド孔
２５２  スイッチ部
２５３  セット部
Ｆ７  セット面
２５４  位置決め部
２５４１  第１突出部
２５４２  第２突出部
２５４３  第３突出部
２５５  押圧部（第１押圧部，第２押圧部）
Ｅ３  挿入方向側端部
２５６  実装用端子
２５７  接触端子
２５７１  固定部
２５７２  支持部（第１支持部，第２支持部）
２５７３  挿入方向側連結部
２５７４  被押圧部（第１被押圧部，第２被押圧部）
２５７５  抜き方向側連結部（第１抜き方向側連結部，第２抜き方向側連結部）
２５７６  圧接部
２５７７  挿入方向側連結部
【図１】
2019057369.tif 000003
【図２】
2019057369.tif 000004
【図３】
2019057369.tif 000005
【図４】
2019057369.tif 000006
【図５】
2019057369.tif 000007
【図６】
2019057369.tif 000008
【図７】
2019057369.tif 000009
【図８】
2019057369.tif 000010
【図９】
2019057369.tif 000011
【図１０】
2019057369.tif 000012
【図１１】
2019057369.tif 000013
【図１２】
2019057369.tif 000014